(57)【要約】  証券（５）のための偽造防止要素（１）であって、証券（５）が、基材から成る基体（５１）を備えており、第１のルミネセンス物質が設けられている形式のものにおいて、偽造防止性を高めるために、第２のルミネセンス物質が設けられており、第１のルミネセンス物質と第２のルミネセンス物質との間でエネルギ伝達が行われるようになっており、一方のルミネセンス物質を刺激する周波数帯域が、他方のルミネセンス物質を放出する周波数帯域に相当し、第１のルミネセンス物質が、基材の発火温度で、かつ／または１８５度の温度で、熱的に不安定である。
2008533622.tif 000002
【特許請求の範囲】
【請求項１】
証券（５）のための偽造防止要素（１）であって、
証券（５）が、基材から成る基体（５１）を備えており、第１のルミネセンス物質が設けられている形式のものにおいて、
第２のルミネセンス物質が設けられており、第１のルミネセンス物質と第２のルミネセンス物質との間でエネルギ伝達が行われるようになっており、一方のルミネセンス物質を刺激する周波数帯域が、他方のルミネセンス物質を放出する周波数帯域に相当し、第１のルミネセンス物質が、基材の発火温度で、かつ／または１８５度の温度で、熱的に不安定であることを特徴とする、証券のための偽造防止要素。
【請求項２】
第１のルミネセンス物質では、放出の周波数帯域が、刺激の周波数帯域よりも高くなっている、請求項１記載の偽造防止要素。
【請求項３】
第２のルミネセンス物質を刺激する周波数帯域が、第１のルミネセンス物質を放出する周波数帯域に相当する、請求項１または２記載の偽造防止要素。
【請求項４】
第１のルミネセンス物質を放出する周波数帯域が、可視領域に位置する、請求項１から３までのいずれか１項記載の偽造防止要素。
【請求項５】
第２のルミネセンス物質では、放出の周波数帯域が、刺激の周波数帯域よりも低くなっている、請求項１から４までのいずれか１項記載の偽造防止要素。
【請求項６】
第１のルミネセンス物質と第２のルミネセンス物質とが、所定の比で存在する、請求項１から５までのいずれか１項記載の偽造防止要素。
【請求項７】
第１の領域（１１）が、第１のルミネセンス物質と第２のルミネセンス物質とを有しており、第２の領域（１２）が、専ら第１のルミネセンス物質を有している、請求項１から６までのいずれか１項記載の偽造防止要素。
【請求項８】
第３の領域（１３）が、専ら第２のルミネセンス物質を有している、請求項７記載の偽造防止要素。
【請求項９】
請求項１から８までのいずれか１項記載の偽造防止要素（１）を備えた証券（５）。
【請求項１０】
請求項１から８までのいずれか１項記載の偽造防止要素（１）のための印刷インキであって、
偽造防止要素（１）が、基材から成る基体（５１）を備えた証券（５）に取り付けられるようになっており、第１のルミネセンス物質が設けられている形式のものにおいて、
第２のルミネセンス物質が設けられており、第１のルミネセンス物質と第２のルミネセンス物質との間でエネルギ伝達が行われるようになっており、一方のルミネセンス物質を刺激する周波数帯域が、他方のルミネセンス物質を放出する周波数帯域に相当し、第１のルミネセンス物質が、基材の発火温度で、かつ／または１８５度の温度で、熱的に不安定であることを特徴とする、印刷インキ。
【請求項１１】
第１のルミネセンス物質を有する偽造防止要素（１）を備えた証券（５）の真偽および／または品質を検査する方法であって、
第１のルミネセンス物質を、光源を用いて刺激する方法において、
第１のルミネセンス物質の放出によって、第２のルミネセンス物質を刺激し、第２のルミネセンス物質の放出に対する第１のルミネセンス物質の放出の比を特定することを特徴とする、証券の真偽および／または品質を検査する方法。
【発明の詳細な説明】
【技術分野】
【０００１】
本発明は、証券のための偽造防止要素に関しており、証券は、基材から成る基体を備えており、第１のルミネセンス物質が設けられている。
【０００２】
銀行券では、偽造防止要素にルミネセンス物質を設けることが公知であり、ルミネセンス物質は、基体に埋め込むか、またはインキに含有させることができる。ルミネセンス物質は、簡単に刺激することができ、放出された光は検出することができ、これによって偽造検査を簡単に行うことができる。この場合の欠点によれば、多くのルミネセンス物質が、銀行券の燃焼によって採取され、高価値の偽造に使用されることである。
【０００３】
したがって本発明の課題は、冒頭で述べた形式の偽造防止要素を改良して、公知の欠点を克服して、簡単に検査でき、しかも高い偽造防止性を有するものを提供することである。
【０００４】
この課題を解決するための本発明の構成によれば、第２のルミネセンス物質が設けられており、第１のルミネセンス物質と第２のルミネセンス物質との間でエネルギ伝達が行われるようになっており、一方のルミネセンス物質を刺激する周波数帯域が、他方のルミネセンス物質を放出する周波数帯域に相当し、第１のルミネセンス物質が、基材の発火温度で、かつ／または１８５度の温度で、熱的に不安定である。
【０００５】
一方のルミネセンス物質の放出によって、他方のルミネセンス物質が刺激され、そうして両方の物質の存在を、簡単に１ステップで検査することができる。この場合特に第２のルミネセンス物質の放出に対する第１のルミネセンス物質の放出の比を特定することもでき、真偽性に関する基準として考慮することができる。基材の発火温度で、かつ／または１８５度の温度で熱的に不安定になる少なくとも一方のルミネセンス物質を使用することによって、銀行券が燃焼したあとで偽造防止要素を完全に採取することはできない。第２のルミネセンス物質が熱的に安定している場合、燃焼した証券におけるこの物質の検出によって、本物であるという推測を助成することができる。さらに第１のルミネセンス物質は、酸に対して変質するように形成することができ、これによって第１のルミネセンス物質は、基材の化学分解でも採取することはできない。
【０００６】
本発明の別の実施例では、第１のルミネセンス物質では、放出の周波数帯域が、刺激の周波数帯域よりも高くなっている。アップコンバータの利用によって、簡単な形式で、変色しない熱的に不安定なルミネセンス物質を提供することができ、このルミネセンス物質は有利には無機質である。
【０００７】
本発明の別の実施形態によれば、第２のルミネセンス物質を刺激する周波数帯域が、第１のルミネセンス物質を放出する周波数帯域に相当し、この場合第１のルミネセンス物質が、第２のルミネセンス物質を刺激する。第１のルミネセンス物質が、アップコンバータである場合、その放出エネルギは、一般的に刺激よりもかなり小さい。外部の光源を用いたアップコンバータの刺激によって、第２のルミネセンス物質を刺激するために十分なエネルギが存在する。
【０００８】
本発明の別の実施形態によれば、第１のルミネセンス物質を放出する周波数帯域が、可視領域に位置し、これによって第１のルミネセンス物質の存在は、刺激のために適当な光源が使用されると、裸眼で簡単に検査することができる。このような光源は、たとえば赤外レーザダイオードであってよく、これは、たとえばキーホルダとして簡単かつ安価に提供することができる。
【０００９】
本発明の別の実施形態によれば、第２のルミネセンス物質では、放出の周波数帯域が、刺激の周波数帯域よりも低くなっている。このような慣用のダウンコンバータは、良好な量子収量を有しており、これによって第２のルミネセンス物質の十分な放出は、アップコンバータを使用する際にも確保することができる。
【００１０】
本発明の別の実施形態によれば、第１のルミネセンス物質と第２のルミネセンス物質とが、所定の比で存在し、これによって第２のルミネセンス物質の放出に対する第１のルミネセンス物質の放出の比が、真偽性に関する別の基準として考慮される。
【００１１】
本発明の別の実施形態によれば、第１の領域が、第１のルミネセンス物質と第２のルミネセンス物質とを有しており、第２の領域が、専ら第１のルミネセンス物質を有している。この場合ルミネセンス物質の領域ごとの存在を簡単に確認して、偽造防止基準として用いることができる。
【００１２】
これに関して本発明の別の実施形態によれば、第３の領域が、専ら第２のルミネセンス物質を有しており、これによって簡単な試験による偽造防止要素の偽造はさらに困難になる。
【００１３】
さらに本発明は、前述の偽造防止要素を備えた証券に関する。この場合証券は、偽造防止要素に関して記載した利点を有する。
【００１４】
さらに本発明は、前述の偽造防止要素のための印刷インキに関しており、この場合偽造防止要素が、基材から成る基体を備えた証券に取り付けられるようになっており、第１のルミネセンス物質が設けられている。
【００１５】
本発明の別の課題は、前述の形式の印刷インキを改良して、本発明による偽造防止要素を簡単に製作できるようなものを提供することである。
【００１６】
この課題を解決するための本発明の構成によれば、第２のルミネセンス物質が設けられており、第１のルミネセンス物質と第２のルミネセンス物質との間でエネルギ伝達が行われるようになっており、一方のルミネセンス物質を刺激する周波数帯域が、他方のルミネセンス物質を放出する周波数帯域に相当し、第１のルミネセンス物質が、基材の発火温度で、かつ／または１８５度の温度で熱的に不安定である。
【００１７】
その利点によれば、偽造防止要素が、１印刷過程で簡単に製作可能である。
【００１８】
さらに本発明は、第１のルミネセンス物質を有する偽造防止要素を備えた証券の真偽および／または品質を検査する方法に関しており、この場合第１のルミネセンス物質は、光源によって刺激される。
【００１９】
ルミネセンス物質を含有する銀行券において、偽造防止要素を刺激して、放出された光を検査することが公知である。この場合の欠点によれば、ルミネセンス物質は、銀行券が燃焼したあとに採取して、高価値の偽造に適用することができ、この場合公知の方法は、そのような銀行券を本物として判断する。
【００２０】
本発明の課題は、前述の方法を改良して、公知の欠点を解消して、簡単かつ迅速な検査を行うことができ、しかも比較的高い偽造防止性を確保することである。
【００２１】
この課題を解決するための本発明の方法によれば、第１のルミネセンス物質の放出によって、第２のルミネセンス物質を刺激し、第２のルミネセンス物質の放出に対する第１のルミネセンス物質の放出の比を特定する。
【００２２】
その利点によれば、一方のルミネセンス物質の放出で、他方のルミネセンス物質が刺激され、この場合両方のルミネセンス物質の存在を簡単な方法でまとめて検査することができる。第２のルミネセンス物質の放出に対する第１のルミネセンス物質の放出の比を特定することによって、真偽性に関する追加的な基準が提供される。
【００２３】
次に本発明の実施例を図示し、詳しく説明する。
【００２４】
図１には、偽造防止要素１を備えた証券５を示した。証券５は、基材から成る基体５１を備えている。証券５は、たとえば銀行券、チップカード、証書などであってよく、この場合基材は、特に紙、厚紙、プラスチック、綿であってよい。別の実施例では、基材は、複合材料であってもよい。偽造防止要素１は、第１のルミネセンス物質と第２のルミネセンス物質とを有しており、この場合第１のルミネセンス物質と第２のルミネセンス物質との間でエネルギ伝達が存在しており、この場合一方のルミネセンス物質を刺激する周波数帯域は、他方のルミネセンス物質を放出する周波数帯域に対応する。この場合一方のルミネセンス物質は、他方のルミネセンス物質の放出によって刺激される。したがって外部光源を用いた、単に一方のルミネセンス物質の刺激によって、両方のルミネセンス物質を刺激することができる。偽造防止要素１は、第２のルミネセンス物質が第１のルミネセンス物質の放出によって刺激されるか、または第１のルミネセンス物質が第２のルミネセンス物質の放出によって刺激されるように、形成することができる。ルミネセンス物質は、最大エネルギ発生量を有する周波数付近の周波数帯域で刺激することができる。本発明では、この周波数帯域は、技術的に効果的な領域に相当し、この領域では、エネルギ発生量が最大エネルギ発生量の所定のパーセンテージに相当し、ここでは有利には１０％、特に有利には２０％を超えて設定することができる。これと同じことが放射の周波数帯域にも当てはまる。周波数帯域の対応関係は、周波数帯域の重畳が生じると得られ、この場合有利には、両方の周波数は、最大エネルギ発生量で、重畳領域に位置する。特に有利には、両方の周波数の間隔は、最大エネルギ発生量で、重畳領域の全幅の２５％、有利には１０％、特に５％未満である。
【００２５】
第１のルミネセンス物質は、基材の発火温度で、かつ／または１８５度の温度で、熱的に不安定である。本発明において熱的に不安定の意味するところによれば、ルミネセンス物質の化学的または物理的な変質が行われ、その結果ルミネセンス特性が失われるか、または少なくとも変化が検査器によって検出されて、証券５が排除されるようになるまで変化される。発火温度は、基材が燃焼される最低温度である。紙から成る基材を有する証券５では、発火温度は、一般的に１８５度〜３６０度である。
【００２６】
ルミネセンス物質は、有機材料または無機材料から成っていてよく、有機材料は、多くの場合熱的に不安定であるが、欠点を有しており、つまり変色し易く、光の当てられる証券、たとえば銀行券にとっては、適当な保護手段がないと適当なものとはならない。これに対して多くの無機材料は、熱的に安定していて、かつ証券が燃焼したあとでも採取することができる。
【００２７】
第１のルミネセンス物質では、放出の周波数帯域は、刺激の周波数よりも高くなっており、この場合アップコンバータである。第１のルミネセンス物質のためにアップコンバータが存在する場合、簡単な形式では、熱的に不安定で変色し易い材料を提供することができる。公知のアップコンバータは、比較的小さな量子収量を有しており、したがって適当な放出強さを実現するために、強い刺激が必要である。有利には、第２のルミネセンス物質を刺激する周波数帯域は、第１のルミネセンス物質を放出する周波数帯域に対応するように、偽造防止要素１が形成されている。この場合アップコンバータは、高い強さを有する外部光源によって刺激することができ、これによって第２のルミネセンス物質の良好に測定可能な放出を確保するために、十分な放出が達成される。
【００２８】
第１のルミネセンス物質を放出する周波数帯域が、可視領域に位置する場合、放出は、簡単に裸眼で検出することができる。アップコンバータの場合、刺激は、赤外レーザダイオードによって行うことができ、赤外レーザダイオードは、簡単かつ安価に提供することができる。これによって一般大衆にとって、証券５の真偽を簡単に素早く検査できる手段が提供される。
【００２９】
ダウンコンバータは、一般的にアップコンバータよりも比較的高い量子収量を有しており、したがって有利には、第２のルミネセンス物質では、放射の周波数帯域が、刺激の周波数帯域よりも低くなっている。第１のルミネセンス物質と第２のルミネセンス物質とが所定の比で存在する場合に、追加的な偽造防止措置が形成される。この場合第２のルミネセンス物質の放出に対する第１のルミネセンス物質の放出の比を特定することができ、この場合比は、適当な量のルミネセンス物質によって特定される。
【００３０】
偽造防止要素１は、第１の領域１１が、第１のルミネセンス物質と第２のルミネセンス物質とを有し、第２の領域が、専ら第１のルミネセンス物質を有し、かつ第３の領域が、専ら第２のルミネセンス物質を有するように、形成することができる。このような偽造防止要素１は、図１に示した。図２には、刺激した場合の、第１のルミネセンス物質の放出を示した。ここから判るように、第１のルミネセンス物質の濃度は一定ではなく、図面において左側から右側に向かって増加している。図３には、第２のルミネセンス物質を刺激した場合の、第２のルミネセンス物質の放出を示した。ここから看取されるように、第２のルミネセンス物質の濃度は、図面において左から右に向かって減少している。図４には、第１のルミネセンス物質を刺激した場合の、第２のルミネセンス物質の放出を示した。ここでは放出は、両方のルミネセンス物質の存在する第１の領域１１でしか行われない。第１のルミネセンス物質と第２のルミネセンス物質との相互作用によって、証券の高い偽造防止性が達成される。
【００３１】
第１のルミネセンス物質および／または第２のルミネセンス物質の異なる濃度は、第１の領域１１、第２の領域１２および／または第３の領域１３の異なる線幅および／または線間隔によって得られる。領域１１，１２，１３の適当な配置構造によってバーコード構造を達成することもできる。
【００３２】
本発明による偽造防止要素１の別の実施例では、第１の領域１１、第１の領域１１および第２の領域１２、または第１の領域１１および第３の領域１３だけを設けてもよい。
【００３３】
偽造防止要素１による証券５の真偽および／または品質を検査する方法では、図２〜４に示した１つ、２つ、または３つ全ての放出を考慮することができる。さらに第１のルミネセンス物質は、光源によって刺激することができ、第２のルミネセンス物質の放出に対する第１のルミネセンス物質の放出の比が特定される。この比を考慮することによって、偽造防止性をさらに改善することができる。
【００３４】
偽造防止要素１は、第１のルミネセンス物質と第２のルミネセンス物質とを含有する印刷インキが用いられると、１印刷ステップで簡単に製作することができる。
【００３５】
さらに高い偽造防止性を確保するために、第１のルミネセンス物質および第２のルミネセンス物質が偽造防止要素において極めて低い濃度で存在すると有利である。なぜならばこれによって偽造者にとってルミネセンス物質の発見を困難にするからである。特にアップコンバータを使用する場合、低濃度のルミネセンス物質でも、偽造防止要素１の、外部刺激される物質としてアップコンバータが存在することによって、確実な検出を保証する、偽造防止要素１の満足できる程度の品質が達成される。低濃度によって、偽造防止要素１は、印刷技術的に簡単で安価な形式で実現することができる。さらに低濃度の選択によって、偽造者による偽造防止措置の発見を困難にすることができる。別の実施例では、偽造防止要素１は、接着シート、ホログラムの構成部分、ストリップエレメントなどとして形成することもできる。
【００３６】
第１のルミネセンス物質および第２のルミネセンス物質の他に、偽造防止要素１は、別の偽造防止措置、たとえばさらに別のルミネセンス物質を含有することもできる。
【図面の簡単な説明】
【００３７】
【図１】本発明による証券の平面図である。
【図２】刺激された場合の第１のルミネセンス物質の放出を示す図である。
【図３】刺激された場合の第２のルミネセンス物質の放出を示す図である。
【図４】第１のルミネセンス物質が刺激された場合の第２のルミネセンス物質の放出を示す図である。
【図１】
2008533622.tif 000003
【図２】
2008533622.tif 000004
【図３】
2008533622.tif 000005
【図４】
2008533622.tif 000006
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
証券（５）のための偽造防止要素（１）であって、
証券（５）が、基材から成る基体（５１）を備えており、第１のルミネセンス物質が設けられており、
第２のルミネセンス物質が設けられており、第１のルミネセンス物質と第２のルミネセンス物質との間でエネルギ伝達が行われるようになっており、一方のルミネセンス物質を刺激する周波数帯域が、他方のルミネセンス物質を放出する周波数帯域に相当し、第１のルミネセンス物質が、基材の発火温度で、かつ／または１８５度の温度で、熱的に不安定である形式のものにおいて、
第１の領域（１１）が、第１のルミネセンス物質と第２のルミネセンス物質とを有しており、第２の領域（１２）が、専ら第１のルミネセンス物質を有していることを特徴とする、証券のための偽造防止要素。
【請求項２】
第１のルミネセンス物質と第２のルミネセンス物質とが、所定の比で存在する、請求項１記載の偽造防止要素。
【請求項３】
第１のルミネセンス物質の濃度が、一方向で増加している、請求項１または２記載の偽造防止要素。
【請求項４】
第３の領域（１３）が、専ら第２のルミネセンス物質を有している、請求項１から３までのいずれか１項記載の偽造防止要素。
【請求項５】
第１のルミネセンス物質では、放出の周波数帯域が、刺激の周波数帯域よりも高くなっている、請求項１から４までのいずれか１項記載の偽造防止要素。
【請求項６】
第２のルミネセンス物質を刺激する周波数帯域が、第１のルミネセンス物質を放出する周波数帯域に相当する、請求項１から５までのいずれか１項記載の偽造防止要素。
【請求項７】
第１のルミネセンス物質を放出する周波数帯域が、可視領域に位置する、請求項１から６までのいずれか１項記載の偽造防止要素。
【請求項８】
第２のルミネセンス物質では、放出の周波数帯域が、刺激の周波数帯域よりも低くなっている、請求項１から７までのいずれか１項記載の偽造防止要素。
【請求項９】
請求項１から８までのいずれか１項記載の偽造防止要素（１）を備えた証券（５）。
【請求項１０】
第１のルミネセンス物質を有する偽造防止要素（１）を備えた証券（５）の真偽および／または品質を検査する方法であって、
第１のルミネセンス物質を、光源を用いて刺激する方法において、
第１のルミネセンス物質の放出によって、第２のルミネセンス物質を刺激し、第２のルミネセンス物質の放出に対する第１のルミネセンス物質の放出の比を特定することを特徴とする、証券の真偽および／または品質を検査する方法。
【国際調査報告】
2008533622.tif 000007
2008533622.tif 000008
2008533622.tif 000009
2008533622.tif 000010
2008533622.tif 000011
2008533622.tif 000012